(57)【要約】【課題】高粘性物質の投与操作と実際の高粘性物質の流出におけるタイムラグが少なく、目的とする部位に高粘性物質をタイミングよく、かつ良好に投与することが可能なシリンジ用ガスケット押圧具を提供する。【解決手段】  シリンジ用ガスケット押圧具は、ガスケット押圧部材８を備える組立体６、シリンジ装着部材４、プランジャ５を備える。シリンジ装着部材４は、バレル２０のフランジ２３を収納可能なバレル装着部４０を備え、バレル装着部４０は、フランジの先端面を支持する先端側支持部７１と、基端面を支持する基端側支持部７２と、先端側支持部と基端側支持部を連結する連結部７３と、先端側支持部、基端側支持部および連結部により形成されたフランジ収納部４４を備える。【選択図】図２３
2019170750.tif 000002
【特許請求の範囲】
【請求項１】
基端部に環状のフランジを有するバレルと、前記バレル内を摺動可能であり、かつ弾性材料からなるガスケットとを備えたシリンジに装着して使用されるガスケット押圧具であって、
前記ガスケット押圧具は、前記ガスケットを押圧するためのガスケット押圧部材と、前記ガスケット押圧部材を移動可能に収納し、前記バレルの前記基端部に装着可能な筒状のシリンジ装着部材と、前記シリンジ装着部材内に先端部が進入し、前記ガスケット押圧部材を先端方向に押圧可能であるプランジャとを備え、
前記プランジャは、前記ガスケット押圧部材を押圧可能な先端部と、前記先端部から基端方向に延び、外周面にシャフト側螺合部を有するシャフト部と、前記シャフト部の基端部に設けられた前記プランジャを回転操作するためのハンドルとを備え、
前記シリンジ装着部材は、前記バレルの前記フランジを収納可能なバレル装着部と、前記バレル装着部の基端から前記ガスケット押圧具の基端方向に延び、前記ガスケット押圧部材を収納可能な筒状収納部と、前記筒状収納部の基端から前記ガスケット押圧具の前記基端方向に延び、前記プランジャの前記シャフト部が挿通された筒状の挿通部とを備え、
前記シリンジ装着部材の前記挿通部は、前記シャフト部の前記シャフト側螺合部と螺合する挿通部側螺合部を内周面に有し、
前記バレル装着部は、前記フランジの先端面を支持可能な先端側支持部と、前記フランジの基端面を支持可能な基端側支持部と、前記先端側支持部と前記基端側支持部とを連結する連結部と、前記先端側支持部、前記基端側支持部および前記連結部とにより形成され、前記フランジを収納可能なフランジ収納部と、前記バレル装着部の側方に向かって開口し、前記フランジ収納部に前記フランジを挿入するためのフランジ挿入口とを備え、
前記先端側支持部は、前記シリンジ装着部材の中心軸に沿って５〜２５ｍｍの軸方向厚みを有し、前記基端側支持部は、前記シリンジ装着部材の前記中心軸に沿って５〜２５ｍｍの軸方向厚みを有し、前記連結部は、前記シリンジ装着部材の径方向に沿って１〜５ｍｍの径方向幅を有することを特徴とするガスケット押圧具。
【請求項２】
前記バレル装着部は、前記先端側支持部の先端から前記基端側支持部の基端にかけて、前記シリンジ装着部材の前記中心軸に沿って延びる外周面を有する請求項１に記載のガスケット押圧具。
【請求項３】
前記先端側支持部は、前記フランジの前記先端面の５５〜８０％を支持可能である請求項１または２に記載のガスケット押圧具。
【請求項４】
前記バレル装着部は、前記シリンジ装着部材の前記中心軸に対して前記フランジ挿入口と対向し、かつ、前記フランジ収納部に収納された前記フランジの一部が進入可能な開口部を有する請求項１ないし３のいずれかに記載のガスケット押圧具。
【請求項５】
前記シリンジ装着部材の前記挿通部は、前記挿通部側螺合部を内周面に有する内筒部と、前記内筒部の外方かつ前記内筒部と同心円的に配置された外筒部と、前記内筒部の外周面と前記外筒部の内周面とを連結し、周方向に間欠的に配置された複数の連結板を有する請求項１ないし４のいずれかに記載のガスケット押圧具。
【請求項６】
前記複数の連結板は、前記シリンジ装着部材の前記周方向に等間隔に、４〜１０枚配置されている請求項５に記載のガスケット押圧具。
【請求項７】
前記シリンジ装着部材は、前記筒状収納部の先端から前記挿通部の前記外筒部の基端にかけて、略均一な外径を有する請求項６に記載のガスケット押圧具。
【請求項８】
前記筒状収納部は、前記バレル装着部の前記基端側支持部の外径よりも小さな外径を有する請求項１ないし７のいずれかに記載のガスケット押圧具。
【請求項９】
前記筒状収納部は、先端に向かって拡径し、前記バレル装着部の前記基端側支持部の基端に連結された湾曲部を有する請求項８に記載のガスケット押圧具。
【請求項１０】
前記湾曲部は、０．３〜３の曲率半径を有する請求項９に記載のガスケット押圧具。
【請求項１１】
前記シリンジ装着部材は、前記フランジ収納部から先端方向に延び、前記バレルの筒状部の外周面を支持するバレル支持部を備える請求項１ないし１０のいずれかに記載のガスケット押圧具。
【請求項１２】
請求項１ないし１１のいずれかに記載のガスケット押圧具と、前記シリンジと、前記シリンジ内に充填された薬液と、前記バレルの先端部を封止する封止部材とからなることを特徴とする薬液投与具。
【発明の詳細な説明】
【技術分野】
【０００１】
本発明は、シリンジ用ガスケット押圧具およびそれを備えた薬液投与具に関す
【背景技術】
【０００２】
比較的高粘度の薬液をシリンジから排出するために、ネジの螺合作用によってプランジャを前進させるように構成された、いわゆるネジ付きシリンジが提案されている。このようなタイプの注入器としては、例えば、特開２００８−１６７９５４号公報（特許文献１）がある。
特許文献１のシリンジでは、シリンジバレル１に、雌ねじ３を有するねじ付フランジ４を装着し、ねじ付フランジ４の雌ねじ３に、プランジャ５の軸部６に形成した雄ねじ７を螺合するとともに、プランジャ５の軸部に形成した軸方向の溝８にクリック突起９をプランジャ５の軸部６を所定角度回転する毎に係合するようにしたシリンジにおいて、プランジャ５の軸部６の外周側で径方向に可動に設けられた、クリック突起９を備えた可動片１０と、可動片１０をプランジャ５の軸部６側に押圧、移動して、プランジャ５の軸部６に形成した軸方向の溝８にクリック突起９を係合するようにする押圧片１１とを備える。
【０００３】
そして、ねじ付フランジ４は、両端にシリンジバレル１のフランジ２が嵌合するスリット１６を有し、ねじ付フランジ４をフランジ２と重なる位置に回転させることにより該フランジ２と係合一体化し、９０°前後で交差する位置に回転させることによりフランジ２から離脱する。
ねじ付フランジ４の中心には雌ねじ３が形成されており、該雌ねじ３には、プランジャ５の軸部６の雄ねじ７が螺合している。プランジャ５は、軸部６の先端にガスケット１８を装着するとともに、軸部６の雄ねじ７を、ねじ付フランジ４の雌ねじ３に螺合している。そして、プランジャ５は、ねじ付フランジ４がシリンジバレル１のフランジ２に装着した状態で、ハンドル１９を介してプランジャ５の軸部６を回転することによって、プランジャ５の軸部６が所定角度回転する毎に吐出が行なわれるものとなっている。
【先行技術文献】
【特許文献】
【０００４】
【特許文献１】特開２００８−１６７９５４号公報
【発明の概要】
【発明が解決しようとする課題】
【０００５】
最近では、高粘性物質の局所的注入を用いた内視鏡的粘膜切除術が行われるようになってきている。高粘性物質としては、薬剤であるヒアルロン酸が一般的に用いられている。内視鏡的粘膜切除術としては、例えば、内視鏡を用いた消化管内壁の部分切除術が行われる。
内視鏡的粘膜切除術において、ヒアルロン酸の注入量の管理は、重要である。しかし、高粘性物質であるヒアルロン酸は、かなりの圧力にて押し出さないと投与できない。また、投与操作を行っても、直ちに、ヒアルロン酸が投与されないことがあった。
【０００６】
特許文献１のようなシリンジを用いて、高粘性物質であるヒアルロン酸の投与を行った場合、プランジャ５を回転させることにより、プランジャ５は、前進し、ガスケット１８が前進し、高粘性物質が排出される。ガスケット１８，プランジャ５は、高粘性物質の押圧時の抵抗により、後方に押される。
本願発明者が検討したところ、上述の高粘性物質の押圧時の後方への押圧力は、シリンジバレルのフランジを収納する連結部に付与され、連結部を押し広げるように変形させることがわかった。投与操作と高粘性物質の実際の流出のタイムラグは、連結部の変形にあること、具体的には、注入開始より、連結部の変形完了時まで、高粘性物質が流出しないことを知見した。このタイムラグにより、目的とする部位への高粘性物質の投与が良好に行えないことがわかった。
本発明の目的は、高粘性物質の投与操作と実際の高粘性物質の流出におけるタイムラグが少なく、目的とする部位に高粘性物質をタイミングよく、かつ良好に投与することが可能なシリンジ用ガスケット押圧具およびそれを備えた薬液投与具を提供する。
【課題を解決するための手段】
【０００７】
上記目的を達成するものは、以下のものである。
（１）  基端部に環状のフランジを有するバレルと、前記バレル内を摺動可能であり、かつ弾性材料からなるガスケットとを備えたシリンジに装着して使用されるガスケット押圧具であって、
前記ガスケット押圧具は、前記ガスケットを押圧するためのガスケット押圧部材と、前記ガスケット押圧部材を移動可能に収納し、前記バレルの前記基端部に装着可能な筒状のシリンジ装着部材と、前記シリンジ装着部材内に先端部が進入し、前記ガスケット押圧部材を先端方向に押圧可能であるプランジャとを備え、
前記プランジャは、前記ガスケット押圧部材を押圧可能な先端部と、前記先端部から基端方向に延び、外周面にシャフト側螺合部を有するシャフト部と、前記シャフト部の基端部に設けられた前記プランジャを回転操作するためのハンドルとを備え、
前記シリンジ装着部材は、前記バレルの前記フランジを収納可能なバレル装着部と、前記バレル装着部の基端から前記ガスケット押圧具の基端方向に延び、前記ガスケット押圧部材を収納可能な筒状収納部と、前記筒状収納部の基端から前記ガスケット押圧具の前記基端方向に延び、前記プランジャの前記シャフト部が挿通された筒状の挿通部とを備え、
前記シリンジ装着部材の前記挿通部は、前記シャフト部の前記シャフト側螺合部と螺合する挿通部側螺合部を内周面に有し、
前記バレル装着部は、前記フランジの先端面を支持可能な先端側支持部と、前記フランジの基端面を支持可能な基端側支持部と、前記先端側支持部と前記基端側支持部とを連結する連結部と、前記先端側支持部、前記基端側支持部および前記連結部とにより形成され、前記フランジを収納可能なフランジ収納部と、前記バレル装着部の側方に向かって開口し、前記フランジ収納部に前記フランジを挿入するためのフランジ挿入口とを備え、
前記先端側支持部は、前記シリンジ装着部材の中心軸に沿って５〜２５ｍｍの軸方向厚みを有し、前記基端側支持部は、前記シリンジ装着部材の前記中心軸に沿って５〜２５ｍｍの軸方向厚みを有し、前記連結部は、前記シリンジ装着部材の径方向に沿って１〜５ｍｍの径方向幅を有するガスケット押圧具。
【０００８】
（２）  前記バレル装着部は、前記先端側支持部の先端から前記基端側支持部の基端にかけて、前記シリンジ装着部材の前記中心軸に沿って延びる外周面を有する上記（１）に記載のガスケット押圧具。
（３）  前記先端側支持部は、前記フランジの前記先端面の５５〜８０％を支持可能である上記（１）または（２）に記載のガスケット押圧具。
（４）  前記バレル装着部は、前記シリンジ装着部材の前記中心軸に対して前記フランジ挿入口と対向し、かつ、前記フランジ収納部に収納された前記フランジの一部が進入可能な開口部を有する上記（１）ないし（３）のいずれかに記載のガスケット押圧具。
（５）  前記シリンジ装着部材の前記挿通部は、前記挿通部側螺合部を内周面に有する内筒部と、前記内筒部の外方かつ前記内筒部と同心円的に配置された外筒部と、前記内筒部の外周面と前記外筒部の内周面とを連結し、周方向に間欠的に配置された複数の連結板を有する上記（１）ないし（４）のいずれかに記載のガスケット押圧具。
（６）  前記複数の連結板は、前記シリンジ装着部材の前記周方向に等間隔に、４〜１０枚配置されている上記（５）に記載のガスケット押圧具。
（７）  前記シリンジ装着部材は、前記筒状収納部の先端から前記挿通部の前記外筒部の基端にかけて、略均一な外径を有する上記（６）に記載のガスケット押圧具。
（８）  前記筒状収納部は、前記バレル装着部の前記基端側支持部の外径よりも小さな外径を有する上記（１）ないし（７）のいずれかに記載のガスケット押圧具。
（９）  前記筒状収納部は、先端に向かって拡径し、前記バレル装着部の前記基端側支持部の基端に連結された湾曲部を有する上記（８）に記載のガスケット押圧具。
（１０）  前記湾曲部は、０．３〜３の曲率半径を有する上記（９）に記載のガスケット押圧具。
（１１）  前記シリンジ装着部材は、前記フランジ収納部から先端方向に延び、前記バレルの筒状部の外周面を支持するバレル支持部を備える上記（１）ないし（１０）のいずれかに記載のガスケット押圧具。
【０００９】
また、上記目的を達成するものは、以下のものである。
（１２）  上記（１）ないし（１１）のいずれかに記載のガスケット押圧具と、前記シリンジと、前記シリンジ内に充填された薬液と、前記バレルの先端部を封止する封止部材とからなる薬液投与具。
【発明の効果】
【００１０】
本発明のガスケット押圧具は、基端部に環状のフランジを有するバレルと、バレル内を摺動可能であり、かつ弾性材料からなるガスケットとを備えたシリンジに装着して使用される。ガスケット押圧具は、ガスケットを押圧するためのガスケット押圧部材と、ガスケット押圧部材を移動可能に収納し、バレルの基端部に装着可能な筒状のシリンジ装着部材と、シリンジ装着部材内に先端部が進入し、ガスケット押圧部材を先端方向に押圧可能であるプランジャとを備える。プランジャは、ガスケット押圧部材を押圧可能な先端部と、先端部から基端方向に延び、外周面にシャフト側螺合部を有するシャフト部と、シャフト部の基端部に設けられたプランジャを回転操作するためのハンドルとを備える。シリンジ装着部材は、バレルのフランジを収納可能なバレル装着部と、バレル装着部の基端からガスケット押圧具の基端方向に延び、ガスケット押圧部材を収納可能な筒状収納部と、筒状収納部の基端からガスケット押圧具の基端方向に延び、プランジャのシャフト部が挿通された筒状の挿通部とを備える。シリンジ装着部材の挿通部は、シャフト部のシャフト側螺合部と螺合する挿通部側螺合部を内周面に有し、バレル装着部は、フランジの先端面を支持可能な先端側支持部と、フランジの基端面を支持可能な基端側支持部と、先端側支持部と基端側支持部とを連結する連結部と、先端側支持部、基端側支持部および連結部とにより形成され、フランジを収納可能なフランジ収納部と、バレル装着部の側方に向かって開口し、フランジ収納部にフランジを挿入するためのフランジ挿入口とを備える。先端側支持部は、シリンジ装着部材の中心軸に沿って５〜２５ｍｍの軸方向厚みを有し、基端側支持部は、シリンジ装着部材の中心軸に沿って５〜２５ｍｍの軸方向厚みを有し、連結部は、シリンジ装着部材の径方向に沿って１〜５ｍｍの径方向幅を有する。
この薬液吐出具では、バレル装着部は、上記の厚さを有する先端側支持部と、上記の厚さを有する基端側支持部と、先端側支持部と基端側支持部とを連結し、上記の厚さを有する連結部を有するフランジ収納部を備えているので、後方への押圧力を受けても連結部における広がるような変形が生じることが極めて少ない。このため、高粘性物質の投与操作と実際の投与物質の流出間におけるタイムラグが少なく、目的とする部位に投与物質をタイミングよく、かつ良好に投与することができる。
【００１１】
また、本発明の薬液投与具は、上記の薬液吐出具と、シリンジ内に充填された薬液と、バレルの先端部を封止する封止部材とからなる。
このため、本発明の薬液投与具は、上記の薬液吐出具を用いているので、高粘性物質の投与操作と実際の投与物質の流出間におけるタイムラグが少なく、目的とする部位に投与物質をタイミングよく、かつ良好に投与することができる。
【図面の簡単な説明】
【００１２】
【図１】図１は、本発明の実施例の薬液投与具の正面図である。
【図２】図２は、図１のＡ−Ａ線断面図である。
【図３】図３は、シリンジが取り付けられた本発明の実施例のシリンジ用ガスケット押圧具の正面図である。
【図４】図４は、図３に示したシリンジ用ガスケット押圧具の左側面図である。
【図５】図５は、図３に示したシリンジ用ガスケット押圧具の拡大底面図である。
【図６】図６は、図３のＢ−Ｂ線拡大断面図である。
【図７】図７は、図３のＣ−Ｃ線断面図である。
【図８】図８は、図４のＤ−Ｄ線断面図である。
【図９】図９は、図３に示したシリンジ用ガスケット押圧具の斜視図である。
【図１０】図１０は、図３に示したシリンジ用ガスケット押圧具に用いられている構成部品を説明するための説明図である。
【図１１】図１１は、図３に示したシリンジ用ガスケット押圧具に用いられているガスケット押圧用組立体の正面図である。
【図１２】図１２は、図１１に示したガスケット押圧用組立体の底面図である。
【図１３】図１３は、図１１のＥ−Ｅ線断面図である。
【図１４】図１４は、図１１に示したガスケット押圧用組立体に用いられているガスケット押圧部材の正面図である。
【図１５】図１５は、図１４のＦ−Ｆ線断面図である。
【図１６】図１６は、図１４に示したガスケット押圧部材の底面図である。
【図１７】図１７は、図１４に示したガスケット押圧部材を斜め下方から見た斜視図である。
【図１８】図１８は、図１１に示したガスケット押圧用組立体に用いられている音発生部材の正面図である。
【図１９】図１９は、図１４に示した音発生部材の底面図である。
【図２０】図２０は、図１８のＧ−Ｇ線断面図である。
【図２１】図２１は、図３に示したシリンジ用ガスケット押圧具に用いられているシリンジ装着部材の左側面図を横向きにした図である。
【図２２】図２２は、図２１に示した状態のシリンジ装着部材の底面図である。
【図２３】図２３は、図２１のＨ−Ｈ線断面図である。
【図２４】図２４は、図２２のＩ−Ｉ線断面図である。
【図２５】図２５は、図２１のシリンジ装着部材の参考図である。
【図２６】図２６は、図２５のＱ−Ｑ線端面説明図である。
【図２７】図２７は、図２５のＰ−Ｐ線端面説明図である。
【図２８】図２８は、図２５のＲ−Ｒ線端面説明図である。
【図２９】図２９は、図２１に示した状態のガスケット押圧部材を先端側から見た斜視図である。
【図３０】図３０は、図２２に示した状態のガスケット押圧部材を基端側から見た斜視図である。
【図３１】図３１は、図３に示したシリンジ用ガスケット押圧具に用いられているプランジャの拡大正面図である。
【図３２】図３２は、図３１に示したプランジャの左側面図である。
【図３３】図３３は、図３１に示したプランジャの先端部の拡大斜視図である。
【図３４】図３４は、本発明の音発生機構を説明するための説明用断面図である。
【図３５】図３５は、本発明の音発生機構を説明するための説明用断面図である。
【図３６】図３６は、本発明の音発生機構を説明するための説明用断面斜視図である。
【図３７】図３７は、本発明の音発生機構を説明するための説明用断面図である。
【図３８】図３８は、本発明の音発生機構を説明するための説明用断面図である。
【図３９】図３９は、シリンジが取り付けられた本発明の他の実施例のシリンジ用ガスケット押圧具の正面図である。
【図４０】図４０は、図３９に示したシリンジ用ガスケット押圧具の縦断面図である。
【図４１】図４１は、図３９に示したシリンジ用ガスケット押圧具の斜視図である。
【図４２】図４２は、図３９に示したシリンジ用ガスケット押圧具に用いられているシリンジ装着部材の左側面図を横向きにした図である。
【図４３】図４３は、図４２に示した状態のシリンジ装着部材の底面図である。
【図４４】図４４は、図４２のＪ−Ｊ線断面図である。
【図４５】図４５は、図４３のＫ−Ｋ線断面図である。
【図４６】図４６は、図４２に示した状態のシリンジ装着部材の左側面図である。
【図４７】図４７は、図４２に示した状態のガスケット押圧部材を先端側から見た斜視図である。
【図４８】図４８は、図４２に示した状態のガスケット押圧部材を基端側から見た斜視図である。
【図４９】図４９は、図３９に示したシリンジ用ガスケット押圧具に用いられているガスケット押圧用組立体の拡大縦断面図である。
【図５０】図５０は、図３９に示したシリンジ用ガスケット押圧具に用いられているガスケット押圧用組立体の構成部品を説明するための説明図である。
【図５１】図５１は、図３９に示したシリンジ用ガスケット押圧具に用いられているガスケット押圧部材の拡大底面図である。
【図５２】図５２は、図３９に示したシリンジ用ガスケット押圧具に用いられているジョイント部材の拡大平面図である。
【図５３】図５３は、図３９に示したシリンジ用ガスケット押圧具に用いられているプランジャの拡大正面図である。
【図５４】図５４は、図５３に示したプランジャの先端部の拡大図である。
【図５５】図５５は、本発明の他の実施例の薬液投与具の縦断面図である。
【図５６】図５６は、本発明の薬液投与具を用いた治療方法を説明するための説明図である。
【図５７】図５７は、本発明の薬液投与具を用いた治療方法を説明するための説明図である。
【図５８】図５８は、本発明の薬液投与具を用いた治療方法を説明するための説明図である。
【図５９】図５９は、本発明の薬液投与具を用いた治療方法を説明するための説明図である。
【図６０】図６０は、本発明の薬液投与具を用いた治療方法を説明するための説明図である。
【発明を実施するための形態】
【００１３】
本発明のシリンジ用ガスケット押圧具および薬液投与具を図面に示した実施例を用いて説明する。
本発明の薬液投与具１は、シリンジ用ガスケット押圧具３と、バレル２０と、バレル２０内に充填された薬液１１と、バレル２０内に摺動可能に収納されたガスケット７とを有するプレフィルドシリンジ２とを備え、プレフィルドシリンジ２が、シリンジ用ガスケット押圧具３のバレル装着部４０に装着されたものである。
【００１４】
本発明のシリンジ用ガスケット押圧具３は、基端部に環状のフランジ２３を有するバレル２０と、バレル２０内に摺動可能に収納されたガスケット７を有するシリンジに装着して使用される。
シリンジ用ガスケット押圧具３は、ガスケット７を押圧するためのガスケット押圧部材８と、ガスケット押圧部材８を移動可能に収納し、バレル２０の基端部に装着可能な筒状のシリンジ装着部材４と、シリンジ装着部材４内に先端部が進入し、回転によりガスケット押圧用組立体６を押圧可能であるプランジャ５とを備える。
【００１５】
プランジャ５は、ガスケット押圧部材８を押圧可能な先端部と、先端部から基端方向に延び、外周面にシャフト側螺合部５５を有するシャフト部５１と、シャフト部５１の基端部に設けられたプランジャを回転操作するためのハンドル５２とを備える。
【００１６】
シリンジ装着部材４は、バレル２０のフランジ２３を収納可能なバレル装着部４０と、バレル装着部４０の基端からガスケット押圧具３の基端方向に延び、ガスケット押圧部材を収納可能な筒状収納部４２と、筒状収納部４２の基端からガスケット押圧具３の基端方向に延び、プランジャ５のシャフト部５１が挿通された筒状の挿通部４７とを備える。シリンジ装着部材４の挿通部４７は、シャフト部５１のシャフト側螺合部と螺合する挿通部側螺合部４６を内周面に有する。
【００１７】
バレル装着部４０は、フランジ２３の先端面を支持可能（言い換えれば、フランジ２３の先端面に当接可能）な先端側支持部７１と、フランジ２３の基端面を支持可能（言い換えれば、フランジ２３の基端面に当接可能）な基端側支持部７２と、先端側支持部７１と基端側支持部７２とを連結する連結部７３と、先端側支持部７１、基端側支持部７２および連結部７３とにより形成され、フランジ２３を収納可能なフランジ収納部４４と、バレル装着部４０の側方に向かって開口し、フランジ収納部４４にフランジを挿入するためのフランジ挿入口４３とを備える。
【００１８】
そして、先端側支持部７１は、シリンジ装着部材４の中心軸に沿って５〜２５ｍｍの軸方向厚み（Ｎ）を有し、基端側支持部７２は、シリンジ装着部材４の中心軸に沿って５〜２５ｍｍの軸方向厚み（Ｍ）を有している。また、連結部７３は、シリンジ装着部材４の径方向に沿って１〜５ｍｍの径方向幅（Ｔ）を有している。
【００１９】
図１および図２に示す薬液投与具１は、プレフィルドシリンジ２と、それを装着したガスケット押圧具３とからなる。
図２に示すように、プレフィルドシリンジ２は、バレル２０と、バレル２０内に充填された薬液１１と、バレル２０内に摺動可能に収納されたガスケット７と、バレル２０の先端を封止する封止部材（シールキャップ）２１を備えており、いわゆるプランジャは備えていない。バレル２０は、先端に薬液排出用のノズル２２と、それを被包するように設けられたカラー部２４を備え、後端部に外方に突出したフランジ２３を備えている。
【００２０】
図１ないし図９に示すように、薬液投与具１は、ガスケット押圧具３を有する。図３、図４ないし図６に示すものでは、ガスケット押圧用組立体６は、ガスケット７に装着されている。
ガスケット押圧具３は、ガスケット押圧用組立体６と、それを後方より押圧するためのプランジャ５と、ガスケット押圧用組立体６およびプランジャ５をシリンジ２に装着するためのシリンジ装着部材４を備える。
【００２１】
そして、図１および図２に示す薬液投与具１では、ガスケット押圧用組立体６は、ガスケット７より後方に位置しており、ガスケット７に装着されていない状態となっている。使用時に、プランジャ５を回転させ、前進させることにより、図３、図４ないし図６に示すように、ガスケット押圧用組立体６は、ガスケット７に装着される。ガスケット押圧用組立体６は、ガスケット装着部材ということもできる。なお、図３以降では、シリンジ２は、薬液およびシールキャップを省略したものとしている。
【００２２】
シリンジ装着部材４は、図１ないし図９、図２１ないし図３０に示すように、バレル装着部４０を備え、特に、図２、図７に示すように、ガスケット押圧用組立体６を移動可能に収納している。
【００２３】
シリンジ装着部材４は、図２１ないし図２４、図２９および図３０に示すように、先端側支持部７１、基端側支持部７２、連結部７３、フランジ収納部４４、フランジ挿入口４３を備えている。先端側支持部７１は、フランジ収納部４４に収納されたバレル２０のフランジ２３の先端面と当接可能であり、フランジ２３の先端面を支持するものとなっている。
【００２４】
この実施例シリンジ装着部材４では、先端側支持部７１は、図２３ないし図２５に示すように、シリンジ装着部材４の中心軸に沿って延びる所定の厚み（軸方向厚み：Ｎ）を備えており、厚み（Ｎ）としては、５〜２５ｍｍであることが好ましく、特に、１０〜１５ｍｍであることが好ましい。
【００２５】
また、この実施例では、先端側支持部７１は、図２５のＱ−Ｑ線端面を示す参考図である図２６に示すような形状および面積を備えている。このため、図２６に示すように、フランジ２３とある程度の面積を持って当接可能なものとなっている。このため、先端側支持部７１は、十分にフランジの先端面を支持可能となっている。先端側支持部７１としては、フランジ２３の先端面２３ａの５５〜８０％を支持可能（言い換えれば、先端面２３ａの５５〜８０％に当接可能）であることが好ましく、特に、７０〜８０％を支持可能（７０〜８０％に当接可能）であることが好ましい。
【００２６】
また、この実施例シリンジ装着部材４では、基端側支持部７２は、図２３ないし図２５に示すように、シリンジ装着部材４の中心軸に沿って延びる所定の厚み（軸方向厚み：Ｍ）を備えており、厚み（Ｍ）としては、５〜２５ｍｍであることが好ましく、特に、１０〜１５ｍｍであることが好ましい。
【００２７】
また、この実施例では、基端側支持部７２は、図２５のＲ−Ｒ線端面を示す参考図である図２８に示すような形状および面積を備えている。このため、図２８に示すように、フランジ２３の基端面２３ｂのほぼ全面と当接可能なものとなっている。このため、基端側支持部７２は、十分にフランジの基端面を支持可能となっている。
【００２８】
そして、この実施例シリンジ装着部材４では、先端側支持部７１と基端側支持部７２は、連結部７３により連結されている。そして、連結部７３は、図２３ないし図２５に示すように、シリンジ装着部材４の中心軸に沿って延びる所定の厚み（軸方向厚み：Ｌ）を備えており、厚み（Ｌ）としては、バレル２０のフランジ２３の厚さに対して−１〜１ｍｍであることが好ましく、特に、バレル２０のフランジ２３の厚さに対して−０．５〜０．５ｍｍであることが好ましい。
【００２９】
また、この実施例では、連結部７３は、図２５のＰ−Ｐ線端面を示す参考図である図２７に示すような形状および面積を備えており、向かい合うように２つ存在している。また、連結部７３は、図２５および図２７に示すように、シリンジ装着部材４の径方向に沿った径方向幅Ｔを備えている。径方向幅（Ｔ）としては、１〜５ｍｍであることが好ましく、特に、２〜３ｍｍであることが好ましい。
【００３０】
この実施例のシリンジ装着部材４は、先端側支持部７１、基端側支持部７２および連結部７３により形成（画成）されたフランジ収納部４４を備える。そして、フランジ収納部４４は、バレル装着部４０の側方に向かって開口し、フランジ収納部４４にフランジを挿入するためのフランジ挿入口４３と、フランジ挿入口４３と対向し（バレル装着部の側方に向かって開口し）、かつ、フランジ収納部に収納されたフランジの一部が進入可能な開口部４８とを備えている。
【００３１】
特に、この実施例のシリンジ装着部材４のフランジ収納部４４は、図２９、図２６に示すように、シリンジ２のフランジ２３を一方の長径側より挿入可能（言い換えれば、縦入れ可能）なスリットにより形成されている。このため、シリンジ２が、シリンジ装着部材４に装着された状態では、シリンジ２のフランジ２３の一方の長径部および向かい合う２つの短径部が、シリンジ装着部材４内に収納され、他端側の長径部が露出した状態となっている。
【００３２】
また、シリンジ装着部材４内に収納されたフランジの長径部の一端は、フランジ挿入口４３と対向する開口部４８より若干露出するものとなっている。この実施例では、フランジ収納部４４は、縦長のＵ字状のスリットにより形成されている。
【００３３】
また、この実施例シリンジ装着部材４では、図２１ないし図２４、図２９および図３０に示すように、バレル装着部４０は、先端側支持部７１の先端から基端側支持部７２の基端にかけて、シリンジ装着部材の中心軸に沿って延びる外周面（外壁部）を有している。具体的には、外周面（外壁部）は、フランジ挿入口４３部分が欠損した半多角筒状のものとなっている。
【００３４】
また、この実施例シリンジ装着部材４では、図２１ないし図２４、図２９および図３０に示すように、シリンジ装着部材４は、フランジ収納部４０から先端方向に延び、バレル２０の筒状部の外周面を支持するバレル支持部４１を備えている。バレル支持部４１は、バレル装着部４０（フランジ収納部４４）より、先端側に延びる略半筒部により形成されている。
【００３５】
また、この実施例のシリンジ装着部材４では、図２１ないし図２４、図２９および図３０に示すように、シリンジ装着部材４は、バレル装着部４０の基端からガスケット押圧具３の基端方向に延び、ガスケット押圧部材を収納可能な筒状収納部４２と、筒状収納部４２の基端からガスケット押圧具３の基端方向に延び、プランジャ５のシャフト部５１が挿通された筒状の挿通部４７とを備える。
【００３６】
筒状収納部４２は、バレル装着部４０の基端から後方に延びる筒状部である。筒状収納部４２は、内部に、ガスケット押圧用組立体の収納部を備える。筒状収納部４２は、バレル装着部４０の基端側支持部７２の外径よりも小さな外径にて、基端方向に延びている。
【００３７】
さらに、この実施例のシリンジ装着部材４では、図２１ないし図２４に示すように、筒状収納部４２は、先端に向かって拡径し、バレル装着部４０の基端側支持部の基端に連結された湾曲部７５を有している。湾曲部７５は、環状に形成されている。湾曲部７５の曲率半径は、０．３〜３ｍｍであることが好ましく、特に、０．５〜１．５ｍｍであることが好ましい。
【００３８】
さらに、この実施例のシリンジ装着部材４は、筒状収納部４２の基端からガスケット押圧具３の基端方向に延び、プランジャ５のシャフト部５１が挿通された筒状の挿通部４７を備える。プランジャ５のシャフト部５１は、シャフト側螺合部５５を備え、挿通部４７の内周面には、シャフト側螺合部５５と螺合する挿通部側螺合部４６を備えている。この実施例では、シャフト側螺合部５５は、螺旋状溝となっており、挿通部側螺合部４６は、螺旋状リブ、具体的には、短い螺旋状リブとなっている。
【００３９】
さらに、挿通部４７は、図３０に示すように、上記の挿通部側螺合部（短い螺旋状リブ）４６を備える内筒部７７と、内筒部７７の外方（言い換えれば、内筒部７７の外周面から離間し）、かつ、内筒部７７と同心円的に配置された外筒部７６と、内筒部７７の外周面と外筒部７６の内周面とを連結し、周方向に間欠的に配置された複数の連結板７８を有している。複数の連結板７８は、シリンジ装着部材４の周方向に等間隔に、４〜１０枚配置されていることが好ましい。また、この実施例では、連結板７８は、内筒部７７の全長に渡り延びている。このため、プランジャ５と螺合する部位である挿通部４７は、強固に補強されており、当該部分において、シリンジ装着部材４に歪みが生じることを防止している。また、この実施例のシリンジ装着部材４は、筒状収納部４２の先端から挿通部４７の外筒部７６の基端まで、略均一な外径を有するものとなっている。
【００４０】
この実施例のシリンジ用ガスケット押圧具３におけるガスケット押圧用組立体６は、図１０ないし図１３に示すように、ガスケット押圧部材８と、ガスケット押圧部材８に装着された音発生部材９とからなる。ガスケット押圧部材８は、図１４ないし図１７に示すように、ガスケット７内に進入し、ガスケットの内面と接触するガスケット内進入部８０と、ガスケット内進入部８０の後部に形成されたフランジ部８１と、フランジ部８１より後方に延びる円筒部８２を備えている。
【００４１】
そして、ガスケット内進入部８０は、先端閉塞部と、フランジ部８１より先端閉塞部の後端まで延びるテーパー状縮径部を備えている。また、ガスケット押圧部材８は、円筒部８２に設けられた向かい合う２つの変型可能部８３と、各変型可能部内に設けられた係合用窓部８４を備えている。この変型可能部８３と係合用窓部８４により、音発生部材９との係合部が形成されている。
【００４２】
さらに、ガスケット押圧部材８は、図１０ないし図１７に示すように、内部に、音発生部材収納部と、軸方向に伸びる壁部８８，８９と、プランジャ当接部６２と、柱状凹部８５とを備えている。図１６に示すように、中心に、柱状凹部８５を有する円筒部を備え、円筒部より側方に延びる４つの仕切部が設けられている。ガスケット押圧部材８内には、４つの仕切部により、４つの軸方向に延びる空間が形成されている。壁部８８，８９は、ガスケット押圧部材の内部に形成された円筒部の中心軸より若干ずれて向かい合う２つの仕切部により、形成されている。また、プランジャ当接部６２は、柱状凹部８５を有する円筒部の後端面により形成されている。柱状凹部８５は、円柱状の凹部となっている。
【００４３】
音発生部材９は、図１０ないし図１３、図１８ないし図２０に示すように、筒状本体部９１と、筒状本体部の内面より先端方向に突出する弾性変形可能な爪部９２，９３と、筒状本体部９１より下方に延びる拡径筒状部９０とを備える。この実施例では、爪部９２，９３は、２つ設けられており、爪先部９２ａ，９３ａは、ほぼ向かい合うものとなっている。
【００４４】
音発生部材９は、弾性変形可能（具体的には、ガスケット押圧部材８の周方向に弾性変形可能）である爪部９２，９３を備える。ガスケット押圧部材８は、爪部９２，９３に当接（具体的には、当接かつ押圧）する壁部８８，８９を備える。爪部９２，９３は、壁部８８，８９より突出する爪先部９２ａ，９３ａを備える。プランジャ５は、先端部の側面に設けられた爪弾きリブ５４を備える。
【００４５】
プランジャ５（具体的には、先端部）が、ガスケット押圧用組立体６を押圧可能に当接しない状態において、爪弾きリブ５４は、爪先部９２ａ，９３ａより後方に位置し、プランジャ５（具体的には、先端部）が、ガスケット押圧用組立体６を押圧可能に当接した状態において、爪弾きリブ５４は、爪先部９２ａ，９３ａの側方に位置し、プランジャ５の回転により、プランジャ５が前進し、ガスケット押圧用組立体６を前進させるとともに、爪弾きリブ５４は、爪先部９２ａ，９３ａに当接し、爪部９２，９３を変形させて通過するとともに、通過後に復元した爪部９２，９３の壁部８８，８９への当接により、音が発生するものとなっている。
【００４６】
爪部９２，９３は、筒状本体部９１の先端部の内面に接続された基部９２ｃ、９３ｃと、基部９３ｃより前方に突出した湾曲部９２ｂ、９３ｂと、後端方向を向く自由端である爪先部９２ａ，９３ａを備えている。爪部９２，９３の先端部は、湾曲部９２ｂ、９３ｂにより構成されている。爪先部９２ａ，９３ａと基部９３ｃ、９３ｃは、ほぼ向かい合うものとなっている。
さらに、この実施例では、爪先部９２ａ，９３ａは、筒状本体部９１内に位置している。爪部９２，９３は、爪先部９２ａ，９３ａが、基部９３ｃ、９３ｃに近接する方向に、弾性変形、具体的には、湾曲可能なものとなっている。また、爪先部９２ａ，９３ａの端部は、基部９３ｃ、９３ｃより、後端側に位置している。
【００４７】
また、拡径円筒部９０には、向かい合う２つの変型可能部６３と、各変型可能部６３に設けられた係合用リブ９４を備えている。音発生部材９の係合用リブ９４が、ガスケット押圧部材８の係合用窓部８４と係合することにより、音発生部材９は、ガスケット押圧部材８に装着されている。また、拡径円筒部９０には、側面リブ９５を備えており、この側面リブ９５は、ガスケット押圧部材８の円筒部８２の内面に設けられた向かい合う２つの凹部６１内に進入している。このため、ガスケット押圧部材８内での音発生部材９の回転が規制されている。
【００４８】
そして、図１３に示すように、ガスケット押圧用組立体６において、音発生部材９の爪先部９３ａの先端部は、ガスケット押圧部材８の壁部８９の下端より、後方に位置（言い換えれば、突出）している。同様に、音発生部材９の爪先部９２ａの先端部も、ガスケット押圧部材８の壁部８８の下端より、後方に位置（言い換えれば、突出）している。
【００４９】
さらに、図１２に示すように、音発生部材９の爪部９２，９３の爪先側の側部は、ガスケット押圧部材８の壁部に当接し、隔壁を押圧するとともに、若干基部９２ｃ，９３ｃ方向に湾曲（弾性変形）したものとなっている。また、爪部９２，９３は、ガスケット押圧部材８内に、仕切部により区分された空間部８６，８７に収納されている。
【００５０】
また、この実施例では、図２０、図３５、図３６に示す様に、爪先部９２ａ，９３ａは、先細りとなっている。爪先部９２ａ，９３ａの壁部８８、８９と向かい合う面（後述するプランジャ５の螺合進行方向への回転時に、爪弾きリブ５４と当接する面）は、平坦面となっている。また、爪先部９２ａ，９３ａの爪弾きリブ５４と当接する平坦面は、音発生部材９の中心軸に対してほぼ平行となっている。
【００５１】
また、爪先部９２ａ，９３ａの基部９２ｃ，９３ｃ側の面（後述するプランジャ６の螺合後退方向への回転時に、爪弾きリブ５４が接触する可能性がある面）は、先端に向かって、基部９２ａ，９３ａより遠ざかる傾斜面となっている。また、爪部９２，９３は、図２０に示すように、基部９２ｃ，９３ｃより上方に伸び、湾曲部９２ｂ、９３ｂにて、Ｕ字状に湾曲し、爪先部９３ａ、９３ａは、後端方向を向く自由端となっている。さらに、爪先部９２ａ，９３ａより、所定長湾曲部側は、他の部分より若干太く形成されている。爪部９２、９３は、全体に渡り断面矩形状となっている。
【００５２】
プランジャ５は、図２ないし図８、図１０，図３１ないし図３３に示すように、シリンジ装着部材４内に先端側が進入し、ガスケット押圧用組立体６を押圧可能なものである。具体的には、プランジャ５は、シャフト部５１と、シャフト部５１の後端部に設けられたハンドル５２とを備える。
シャフト部５１は、外面にシリンジ装着部材４の挿通部側螺合部（螺旋状リブ）４６が螺合進行可能に進入するシャフト側螺合部（螺旋状溝）５５と、先端部の側面に設けられた複数の爪弾きリブ５４を備える。プランジャ５は、一方に回転（正回転）させると、その先端部は、シリンジ装着部材内にて、前進し、他方に回転（逆回転）させると、その先端部は、シリンジ装着部材内にて、後退する。
【００５３】
具体的には、図３２，図３３に示すように、シャフト部５１の先端部には、爪弾きリブ５４を外側面に保有する先端基部５７と、先端基部の先端面により形成された環状の当接部５６と、先端基部５７より突出するとともに、当接部の外径より小径の円柱状突出部５３とを備えている。円柱状突出部５３は、ガスケット押圧部材８の中心部に形成された柱状凹部８５（具体的には、円柱状凹部）内に、進入可能かつ進入後において、回転可能となっている。
【００５４】
爪弾きリブ５４は、図６、図３３、図３４に示すように、３つ以上の奇数個設けられているとともに、それらの爪弾きリブ５４は、プランジャ５の中心軸に対して等角度となるように配置されていることが好ましい。この実施例では、爪弾きリブ５４は、５つ設けられているとともに、プランジャ５の中心軸に対して等角度となるように配置されている。
【００５５】
さらに、この実施例では、プランジャ５の螺合進行方向への回転時に、爪先部９２ａ，９３ａと当接する爪弾きリブ５４の面は、プランジャ５の中心軸とほぼ平行に形成されており、かつ、先端基部５７の外周面から、ほぼ起立した面となっている。さらに、爪弾きリブ５４の上記の起立面と反対側の面は、傾斜面となっている。このため、爪弾きリブ５４は、下方（先端基部５７方向）に向かって、肉厚となっている。
【００５６】
ハンドル５２は、シャフト部５１の後端部に形成されており、シャフト部５１より半径方向に延びる２つの突出部により形成されている。そして、この実施例のプランジャ５では、ハンドル部５２より後方に延びるエンド部を備えている。
【００５７】
図８およびその拡大図である図３５に示すように、プランジャ５の環状の当接部５６が、ガスケット押圧用組立体６のプランジャ当接部６２を押圧可能に当接した状態において、爪弾きリブ５４は、爪先部９２ａ，９３ａの側方に位置する。そして、プランジャ５の回転により、プランジャ５が前進し、ガスケット押圧用組立体６を前進させるとともに、爪弾きリブ５４は、爪先部９２ａ，９３ａに当接し、爪部９２，９３を変形させて通過するとともに、通過後に復元した爪部９２，９３の壁部８８，８９への当接により、音が発生するものとなっている。
【００５８】
そして、この実施例のシリンジ用ガスケット押圧具３および薬液投与具１では、プランジャを回転させることにより、プランジャ５の環状の当接部５６が、ガスケット押圧用組立体６を押圧可能に当接した状態、すなわち、図３５および図３６に示す状態となる。この状態では、プランジャ５の爪弾きリブ５４は、爪先部９２ａ，９３ａの側方に位置する。そして、プランジャ５を回転させることにより、プランジャ５が前進し、ガスケット押圧用組立体６も前進する。ガスケット押圧用組立体６の前進により、ガスケット７も前進する。そして、図３７に示すように、プランジャ５の爪弾きリブ５４は、音発生部材９の爪先部９２ａ，９３ａに当接し、爪部９２，９３を変形させ、やがて通過する。そして、通過後に、爪部９２，９３は、そのバネ性により、元の形状に復元し、復元の際に、壁部８８，８９に当接し、音が発生する。
【００５９】
特に、図示する実施例では、壁部８８は、薄肉後端部８８ａを備えており、復元した爪先部９２ａは、この薄肉後端部８８ａに当接するものとなっている。薄肉後端部が薄肉のため、比較的高い音が発生する。また、この実施例では、２つの爪部９２，９３と、５つの爪弾きリブ５４を備えている。このため、プランジャ５が回転すると１０の衝突音を生じる。言い換えれば、プランジャ５が、３６度回転する毎に、衝突音が生じる。
【００６０】
そして、この実施例のシリンジ用ガスケット押圧具３では、図３８に示すように、プランジャ５の当接部５６が、ガスケット押圧用組立体６を押圧可能に当接しない状態では、プランジャ５の爪弾きリブ５４は、音発生部材９の爪先部９２ａ，９３ａより後方に位置する。このため、プランジャ５を回転させても、爪弾きリブ５４は、爪先部９２ａ，９３ａに当接しないため、音の発生はない。また、図３５および図３４に示す状態において、プランジャ５を逆回転（後退方向に回転）させることにより、プランジャ５が後退する。この逆回転時においても、音の発生はない。なお、この実施例の薬液投与具１は、ガスケット押圧用組立体６が、図７に示すように、ガスケット７に装着された状態にて提供されるもの、言い換えれば、その状態が初期状態となっているものであってもよい。なお、プランジャ５は、ガスケット押圧用組立体６に当接していても、していなくてもよい。
【００６１】
次に、図３９ないし図４１に示す実施例の薬液投与具１ａおよびシリンジ用ガスケット押圧具３ａについて、説明する。
この実施例の薬液投与具１ａおよびガスケット押圧具３ａと、上述した薬液投与具１ａおよびガスケット押圧具３ａは、音発生に関する構成は、同じであり、相違点は、シリンジ装着部材の形態、ガスケット押圧用組立体の構造である。同じ部位については、同じ符号を付してあり、上述の説明を参照するものとする。
【００６２】
この実施例のガスケット押圧具３ａに用いられているシリンジ装着部材４ａは、図３９ないし図４７に示すように、バレル装着部４０ａを備える。 シリンジ装着部材４ａは、図３９ないし図４８に示すように、シリンジ装着部材４ａを備え、図２に示すものと同様に、ガスケット押圧用組立体６ａを移動可能に収納している。
【００６３】
シリンジ装着部材４ａは、図４１ないし図４８に示すように、先端側支持部７１ａ、基端側支持部７２ａ、連結部７３ａ、フランジ収納部４４ａ、フランジ挿入口４３ａを備えている。先端側支持部７１ａは、フランジ収納部４４ａに収納されたバレル２０のフランジ２３の先端面と当接可能であり、フランジ２３の先端面を支持するものとなっている。
【００６４】
この実施例シリンジ装着部材４ａでは、先端側支持部７１ａは、図４４に示すように、シリンジ装着部材４ａの中心軸に沿って延びる所定の厚み（軸方向長：Ｖ）を備えており、厚み（Ｖ）としては、５〜２５ｍｍであることが好ましく、特に、１０〜１５ｍｍであることが好ましい。先端側支持部７１ａは、十分にフランジの先端面を支持可能となっている。先端側支持部７１ａとしては、フランジ２３の先端面２３ａの５５〜８０％を支持可能（言い換えれば、先端面２３ａの５５〜８０％に当接可能）であることが好ましく、特に、７０〜８０  ％を支持可能（７０〜８０％に当接可能）であることが好ましい。
【００６５】
また、この実施例シリンジ装着部材４ａでは、基端側支持部７２ａは、図４４に示すように、シリンジ装着部材４ａの中心軸に沿って延びる所定の厚み（軸方向長：Ｕ）を備えており、厚み（Ｕ）としては、５〜２５ｍｍであることが好ましく、特に、１０〜１５ｍｍであることが好ましい。基端側支持部７２ａはフランジ２３の基端面２３ｂのほぼ全面と当接可能なものとなっている。このため、基端側支持部７２ａは、十分にフランジの基端面を支持可能となっている。
【００６６】
そして、この実施例シリンジ装着部材４ａでは、先端側支持部７１ａと基端側支持部７２ａは、連結部７３ａにより連結されている。そして、連結部７３ａは、図４４に示すように、シリンジ装着部材４ａの中心軸に沿って延びる所定の厚み（軸方向厚み：Ｓ）を備えており、厚み（Ｓ）としては、バレル２０のフランジ２３の厚さに対して−１〜１ｍｍであることが好ましく、特に、バレル２０のフランジ２３の厚さに対して−０．５〜０．５ｍｍであることが好ましい。
【００６７】
また、この実施例では、連結部７３ａは、図４４に示すように、向かい合うように２つ存在しており、また、連結部７３ａは、図４４に示すように、シリンジ装着部材４ａの径方向に沿った径方向幅Ｗを備えている。径方向幅（Ｗ）としては、１〜５ｍｍであることが好ましく、特に、２〜３ｍｍであることが好ましい。
【００６８】
この実施例のシリンジ装着部材４ａは、先端側支持部７１ａ、基端側支持部７２ａおよび連結部７３ａにより形成（画成）されたフランジ収納部４４ａを備える。そして、フランジ収納部４４ａは、シリンジ装着部材４ａの側方に向かって開口し、フランジ収納部４４ａにフランジを挿入するためのフランジ挿入口４３ａと、フランジ挿入口４３ａと対向し、言い換えれば、バレル装着部の側方に向かって開口し、かつ、フランジ収納部に収納されたフランジの一部が進入可能な開口部４８ａとを備えている。
【００６９】
また、この実施例のシリンジ装着部材４ａのフランジ収納部４４ａは、図３９，図４１，図４６に示すように、シリンジ２のフランジ２３を一方の短径側より挿入可能（言い換えれば、横入れ可能）なスリットにより形成されている。このため、シリンジ２が、シリンジ装着部材４ａに装着された状態では、シリンジ２のフランジ２３の一方の短径部および向かい合う２つの長径部が、バレル装着部４０ａ内に収納され、他端側の短径部が露出した状態となっている。また、シリンジ装着部材４ａ内に収納されたフランジの一方の短径部の端部は、開口部４８ａより、露出している。この実施例では、フランジ収納部４４ａは、横長のＵ字状のスリットにより形成されている。
【００７０】
また、この実施例シリンジ装着部材４ａでは、図３９ないし図４８に示すように、シリンジ装着部材４ａは、先端側支持部７１ａの先端から基端側支持部７２ａの基端にかけて、シリンジ装着部材の中心軸に沿って延びる外周面（外壁部）を有している。具体的には、外周面（外壁部）は、先端側支持部７１ａの先端からフランジ挿入口４３ａまでの部分が欠損した先端側が半多角筒状となっており、フランジ挿入口４３ａより基端側が、多角筒状となっている。
【００７１】
また、この実施例シリンジ装着部材４ａでは、図３９ないし図４８に示すように、シリンジ装着部材４ａは、バレル装着部４０ａから先端方向に延び、バレル２０の筒状部の外周面を支持するバレル支持部４１ａを備えている。バレル支持部４１ａは、バレル装着部４０ａ（フランジ収納部４４ａ）より、先端側に延びる略半筒部により形成されている。
【００７２】
また、この実施例のシリンジ装着部材４ａでは、図３９ないし図４８に示すように、シリンジ装着部材４ａは、シリンジ装着部材４ａの基端からガスケット押圧具３ａの基端方向に延び、ガスケット押圧部材を収納可能な筒状収納部４２ａと、筒状収納部４２ａの基端からガスケット押圧具３ａの基端方向に延び、プランジャ５ａのシャフト部５１が挿通された筒状の挿通部４７ａとを備える。
【００７３】
筒状収納部４２ａは、シリンジ装着部材４ａの基端から後方に延びる筒状部である。筒状収納部４２ａは、内部に、ガスケット押圧用組立体の収納部を備える。筒状収納部４２ａは、シリンジ装着部材４ａの基端側支持部７２ａの外径よりも小さな外径にて、基端方向に延びている。
【００７４】
さらに、この実施例のシリンジ装着部材４ａでは、図４２ないし図４４に示すように、筒状収納部４２ａは、先端に向かって拡径し、シリンジ装着部材４ａの基端側支持部の基端に連結された湾曲部７５ａを有している。湾曲部７５ａは、環状に形成されている。湾曲部７５ａの曲率半径は、０．３〜３        ｍｍであることが好ましく、特に、０．５〜１．５ｍｍであることが好ましい。
【００７５】
さらに、この実施例のシリンジ装着部材４ａは、筒状収納部４２ａの基端からガスケット押圧具３ａの基端方向に延び、プランジャ５ａのシャフト部５１が挿通された筒状の挿通部４７ａを備える。プランジャ５ａのシャフト部５１は、シャフト側螺合部５５を備え、挿通部４７ａの内周面には、シャフト側螺合部５５と螺合する挿通部側螺合部４６ａを備えている。この実施例では、シャフト側螺合部５５は、螺旋状溝となっており、挿通部側螺合部４６ａは、螺旋状溝部と螺合する螺旋状リブ（具体的には、短い螺旋状リブ）となっている。
【００７６】
さらに、挿通部４７ａは、図４８に示すように、上記の挿通部側螺合部（短い雌ねじ）４６ａを備える内筒部７７ａと、内筒部７７ａの外方（言い換えれば、内筒部７７の外周面から離間し）、かつ、内筒部７７ａと同心円的に配置された外筒部７６ａと、内筒部７７ａの外周面と外筒部７６ａの内周面とを連結し、周方向に間欠的に配置された複数の連結板７８ａを有している。複数の連結板７８ａは、シリンジ装着部材４ａの周方向に等間隔に、４〜１０枚配置されていることが好ましい。
【００７７】
また、この実施例では、連結板７８ａは、内筒部７７ａの全長に渡り延びている。このため、プランジャ５ａと螺合する部位である挿通部４７ａは、強固に補強されており、当該部分において、シリンジ装着部材４ａに歪みが生じることを防止している。また、この実施例のシリンジ装着部材４ａは、筒状収納部４２ａの先端（湾曲部７５ａ）から挿通部４７ａの外筒部７６ａの基端まで、略均一な外径を有するものとなっている。
【００７８】
この実施例のガスケット押圧用組立体６ａは、図３９ないし図４１、図５０に示すように、ガスケット押圧部材８ａと、音発生部材９ａと、ジョイント部材１５とからなる。ガスケット押圧部材８ａは、図３９、図４９ないし図５１に示すように、ガスケット７内に進入し、ガスケットの内面と接触するガスケット内進入部８０と、ガスケット内進入部８０の後部に形成されたフランジ部８１と、フランジ部８１より後方に延びる環状部８２ａと、環状部８２ａの後端部に形成された環状リブ６６を備える。環状リブ６６には、切欠６７が設けられている。ガスケット内進入部８０は、先端閉塞部と、フランジ部８１より先端閉塞部の後端まで延びるテーパー状縮径部を備えている。
【００７９】
そして、この実施例のガスケット押圧部材８ａにおいても、上述した実施例と同様に、図４９および図５１に示すように、内部に、音発生部材収納部と、軸方向に伸びる壁部８８，８９と、プランジャ当接部６２と、柱状凹部８５と、中心に、柱状凹部８５を有する円筒部と、円筒部より側方に延びる４つの仕切部を備えている。ガスケット押圧部材８ａの内部形態は、上述したガスケット押圧部材８と同じである。
【００８０】
この実施例の音発生部材９ａは、図４９，図５０に示すように、筒状本体部９０ａと、筒状本体部９０ａの内面より先端方向に突出する爪部９２，９３と、筒状本体部９０ａの下部側面に設けられた複数の突出部９８を備えている。爪部９２，９３の形態は、上述した音発生部材９と同じである。
【００８１】
この実施例のガスケット押圧部材８ａにおいて、上記のように、ガスケット押圧部材８ａの内部形態は、上述したガスケット押圧部材８と同じであり、音発生部材９ａの形態も上述した音発生部材９と同じであり、この実施例のガスケット押圧部材８ａにおける音発生機構は、上述したものと同じである。
【００８２】
この実施例のガスケット押圧用組立体６ａでは、ガスケット押圧部材８ａの後部に配置されたジョイント部材１５を備えている。ガスケット押圧部材８ａは、音発生部材９ａを収納し、開口する後部に、ジョイント部材１５が装着されている。ジョイント部材１５は、図５０および図５２に示すように、円盤状底面１８ａを有する短い円筒部１８と、円筒部１８より後方に延びる小径円筒部１７を備える。円筒部１８の上端には、内側に突出するリブ１９を備える。ジョイント部材１５は、このリブ１９をガスケット押圧部材８ａの後端に形成された環状リブ６６の切欠６７に進入させた後、回転させることにより、図４９に示すように、ガスケット押圧部材８ａに取り付けられている。また、ジョイント部材１５は、小径円筒部１７の内面より、先端方向かつジョイント部材の中心方向に延びる複数の傾斜突出部６５を備えている。複数の傾斜突出部６５は、ジョイント部材１５の中心軸に対して、等角度となるように配置されている。
【００８３】
この実施例におけるプランジャ５ａは、図５３および図５４に示すように、先端部であり、かつ爪弾きリブ５４より後端側に形成された環状リブ５８を有する。ジョイント部材１５の複数の傾斜突出部６５が形成する最小内径部における内径は、プランジャ５ａの環状リブ５８の外径より、若干大きいものとなっている。このため、ジョイント部材１５は、プランジャ５ａの脱け止め機能を備えている。また、この実施例におけるプランジャ５ａは、爪弾きリブ５４を含め、上述したプランジャ５と同様の先端部の構成を備えており、プランジャ５ａの環状の当接部５６が、ガスケット押圧用組立体６ａを押圧可能に当接した状態において、爪弾きリブ５４は、爪先部９２ａ，９３ａの側方に位置する。そして、プランジャ５ａの回転により、プランジャ５ａが前進し、ガスケット押圧用組立体６ａを前進させるとともに、爪弾きリブ５４は、爪先部９２ａ，９３ａに当接し、爪部９２，９３を変形させて通過するとともに、通過後に復元した爪部９２，９３の壁部８８，８９への当接により、音が発生する。
【００８４】
なお、上述したすべての実施例において、ガスケット押圧部材は、図５５に示す実施例の薬液投与具１ｂおよびシリンジ用ガスケット押圧具３ｂが備えるタイプのものであってもよい。この実施例におけるガスケット押圧部材８ｂは、実質的に、ガスケット７ａ内に進入する部分を持たない。このため、ガスケット押圧用組立体６ｂも、実質的に、ガスケット７ａ内に進入する部分を持たない。そして、このガスケット押圧部材８ｂは、先端部に、ガスケット７ａの後端面に当接し、押圧可能な押圧部８１ｂを備えている。なお、この実施例の薬液投与具１ｂおよびシリンジ用ガスケット押圧具３ｂも上述した薬液投与具１，１ａおよびシリンジ用ガスケット押圧具３，３ａと同様の音発生機構を備えている。
【００８５】
次に、本発明の薬液投与具１を用いた治療方法の一例として、内視鏡的粘膜下層剥離術（ＥＳＤ；Ｅｎｄｏｓｃｏｐｉｃ  Ｓｕｂｍｕｃｏｓａｌ  Ｄｉｓｓｅｃｔｉｏｎ）又は内視鏡的粘膜切除術（ＥＭＲ；Ｅｎｄｏｓｃｏｐｉｃ  Ｍｕｃｏｓａｌ  Ｒｅｓｓｅｃｔｉｏｎ）を行う場合を説明する。まず、内視鏡的粘膜下層剥離術について説明する。この手技は、通常２名で行われる。
【００８６】
第１術者がヒアルロン酸ナトリウム溶液の注入を行い、第２術者が、内視鏡画像の確認の患部切除を行う。
第１術者は、ヒアルロン酸ナトリウム溶液１１が充填されたプレフィルドシリンジ２にシリンジ用ガスケット押圧具３が装着された薬液投与具１を準備する。準備した薬液投与具１が、図１および図２に示す状態の場合には、プランジャ５を回転させて、図７に示すように、ガスケット７内にガスケット押圧用組立体６を装着させる。そして、プレフィルドシリンジ２よりシールキャップ２１を取り外す。
【００８７】
次に、第１術者は、図５６に示すように、穿刺デバイス１１０の内側カテーテル１１２の基端部にシリンジ２の先端部を接続するとともに、針１１２ａを外側カテーテル１１４から突出させる。その状態にて、プランジャ５を回転させ、内側カテーテル１１２及び針１１２ａの内腔をヒアルロン酸ナトリウム溶液１１で満たすプライミングを行う。なお、穿刺デバイス１１０における内側カテーテル１１２は、外側カテーテル１１４に対して規制された範囲内で軸方向に摺動可能となっている。内側カテーテル１１２の先端には、針１１２ａが接続されている。外側カテーテル１１４に対して内側カテーテル１１２が、後退した位置にあるときは、針１１２ａは、外側カテーテル１１４内に収納される。外側カテーテル１４４ａに対して、内側カテーテル１１２が前進した位置にあるとき、針１１２ａは、外側カテーテル１１４の先端から突出する。
【００８８】
次に、第２術者は、針１１２ａを外側カテーテル１１４内に収納する。そして、内視鏡１１６の挿入孔１１６ａ（図５７参照）に、穿刺デバイス１１０を挿入する。続いて、第２術者は、図５７のように、患者の消化管内で、内視鏡１１６の先端から針１１２ａを突出させる。そして、病変部１２８周囲の粘膜１２０を貫通し、粘膜下層１２１に到達する。第２術者は、針の粘膜層１２１への到達を第１術者に伝える。
【００８９】
第２術者は、第１術者に、注入のためのクリック音数を伝える。第１術者は、伝えられたクリック音数分、プランジャ５を回転させて、粘膜下層１２１へのヒアルロン酸ナトリウム溶液１１の注入を行う。第２術者は、クリック音数を確認することにより、所定量のヒアルロン酸ナトリウム溶液１１が注入されたことを聴覚により確認する。第２術者は、内視鏡画像を確認し、必要により、第１術者に、最注入のためのクリック音数を伝える。第１術者は、伝えられたクリック音数分、プランジャ５を回転させて、粘膜下層１２１へのヒアルロン酸ナトリウム溶液１１の注入を行う。この操作を必要回数行い、病変部１２８を目的とする大きさまで隆起させると、図５８に示す状態となる。この状態では、病変部１２８下の粘膜下層１２１は、筋層１２２から剥離された状態となる。
【００９０】
第２術者は、 第１術者にヒアルロン酸ナトリウム溶液の注入操作終了を告げる。それを聞いた第１術者は、プランジャ５を逆回転させて加圧を解除する。これにより、シリンジ２からのヒアルロン酸ナトリウム溶液１１の排出が止まる。
次に、第２術者は、図５９に示すように、内視鏡１１６の鉗子孔１１６ａに剥離デバイス１３４（針状メス等）を挿入し、剥離デバイス１３４を用いて病変部１２８を取り囲むように粘膜１２０を切る。続いて、第２術者は、図６０に示すように、内視鏡１１６の鉗子孔１１６ａに、把持デバイス１３６を挿入し、把持デバイス１３６を用いて、病変部１２８を有する粘膜１２０を剥離し、剥離した粘膜１２０を体外に取り出す。
【００９１】
一方、内視鏡的粘膜切除術を行う場合、上述した剥離デバイス１３４による粘膜１２０の剥離に代えて、図５９において仮想線で示す切除デバイス１３８が用いられる。切除デバイス１３８は、スネアリング１３８ａ（ループ状の電気メス）を有する。第２術者は、患者の体内で内視鏡１１６からスネアリング１３８ａを突出させ、隆起させた病変部１２８周囲の粘膜１２０にスネアリング１３８ａを引っ掛ける。そして、スネアリング１３８ａを絞り、スネアリング１３８ａに高周波電流を流し、病変部１２８を有する粘膜１２０が切断される。切断した粘膜１２０は、図６０に示した把持デバイス１３６により回収する。その他の手技工程は、上述した内視鏡的粘膜下層剥離術と同様に行う。
【符号の説明】
【００９２】
１  薬液投与具
２  プレフィルドシリンジ
３  シリンジ用ガスケット押圧具
４  シリンジ装着部材
５  プランジャ
６  ガスケット押圧用組立体
８  ガスケット押圧部材
９  音発生部材
２０  バレル
２３  フランジ
【図１】
2019170750.tif 000003
【図２】
2019170750.tif 000004
【図３】
2019170750.tif 000005
【図４】
2019170750.tif 000006
【図５】
2019170750.tif 000007
【図６】
2019170750.tif 000008
【図７】
2019170750.tif 000009
【図８】
2019170750.tif 000010
【図９】
2019170750.tif 000011
【図１０】
2019170750.tif 000012
【図１１】
2019170750.tif 000013
【図１２】
2019170750.tif 000014
【図１３】
2019170750.tif 000015
【図１４】
2019170750.tif 000016
【図１５】
2019170750.tif 000017
【図１６】
2019170750.tif 000018
【図１７】
2019170750.tif 000019
【図１８】
2019170750.tif 000020
【図１９】
2019170750.tif 000021
【図２０】
2019170750.tif 000022
【図２１】
2019170750.tif 000023
【図２２】
2019170750.tif 000024
【図２３】
2019170750.tif 000025
【図２４】
2019170750.tif 000026
【図２５】
2019170750.tif 000027
【図２６】
2019170750.tif 000028
【図２７】
2019170750.tif 000029
【図２８】
2019170750.tif 000030
【図２９】
2019170750.tif 000031
【図３０】
2019170750.tif 000032
【図３１】
2019170750.tif 000033
【図３２】
2019170750.tif 000034
【図３３】
2019170750.tif 000035
【図３４】
2019170750.tif 000036
【図３５】
2019170750.tif 000037
【図３６】
2019170750.tif 000038
【図３７】
2019170750.tif 000039
【図３８】
2019170750.tif 000040
【図３９】
2019170750.tif 000041
【図４０】
2019170750.tif 000042
【図４１】
2019170750.tif 000043
【図４２】
2019170750.tif 000044
【図４３】
2019170750.tif 000045
【図４４】
2019170750.tif 000046
【図４５】
2019170750.tif 000047
【図４６】
2019170750.tif 000048
【図４７】
2019170750.tif 000049
【図４８】
2019170750.tif 000050
【図４９】
2019170750.tif 000051
【図５０】
2019170750.tif 000052
【図５１】
2019170750.tif 000053
【図５２】
2019170750.tif 000054
【図５３】
2019170750.tif 000055
【図５４】
2019170750.tif 000056
【図５５】
2019170750.tif 000057
【図５６】
2019170750.tif 000058
【図５７】
2019170750.tif 000059
【図５８】
2019170750.tif 000060
【図５９】
2019170750.tif 000061
【図６０】
2019170750.tif 000062